(57)【要約】  通信デバイス中に含まれる電力増幅器の電力消費を制御するための方法および装置を開示する。少なくともいくつかの実施形態に対して、電力消費は、送信されるデータパケットに対する順序を決定することと、データパケットをエンコードするために使用されるコーディングスキームを選択することと、および／または、電力増幅器の出力電力レベルを決定することとによって制御されてもよい。データパケット送信順序、コーディングスキーム、および／または、出力電力レベルは、電力増幅器の温度と、データパケットに関係付けられているサービス品質と、データパケット長と、および／または、リンクバジェットとによって、少なくとも部分的に決定されてもよい。データパケット送信順序コーディングスキーム、および／または、出力電力レベルへの調整は、各データパケットに対して動的になされてもよい。【選択図】図５
2017528065.tif 000002
【特許請求の範囲】
【請求項１】
ワイヤレス通信デバイスを介してデータを送信する方法において、
前記ワイヤレス通信デバイスにおいて、バッファ中に複数のデータパケットを記憶させることと、
電力増幅器の温度を決定することと、
前記データパケットのそれぞれの特性を決定することと、
前記バッファから前記データパケットを選択することと、
前記電力増幅器の温度と前記特性とに少なくとも部分的に基づいて、前記電力増幅器の出力電力レベルを決定することと、
前記選択したデータパケットを送信することとを含む方法。
【請求項２】
前記データパケットを選択することは、前記電力増幅器の温度と前記特性とに少なくとも部分的に基づいている請求項１記載の方法。
【請求項３】
前記電力増幅器の温度が予め定められたしきい値より高いとき、前記特性はデータパケット長である請求項２記載の方法。
【請求項４】
前記データパケットを選択することは、前記複数のデータパケットが前記バッファ中に記憶される順序とは異なる順序で前記データパケットを選択することをさらに含む請求項１記載の方法。
【請求項５】
リンクバジェットに少なくとも部分的に基づいて、コーディングスキームを決定することと、
前記コーディングスキームを使用して、前記選択したデータパケットをエンコードすることとをさらに含む請求項１記載の方法。
【請求項６】
前記選択したデータパケットの長さが予め定められた長さより短いとき、前記電力増幅器の出力電力レベルを増加させることをさらに含む請求項１記載の方法。
【請求項７】
前記選択したデータパケットの長さが予め定められた長さより長いとき、前記電力増幅器の出力電力レベルを減少させることをさらに含む請求項１記載の方法。
【請求項８】
前記バッファから前記データパケットを選択することは、前記選択するデータパケットに関係付けられているサービス品質（ＱｏＳ）インデックスに少なくとも部分的に基づいている請求項１記載の方法。
【請求項９】
前記特性は前記ＱｏＳインデックスを含む請求項８記載の方法。
【請求項１０】
前記選択したデータパケットを送信することは、前記ＱｏＳインデックスに少なくとも部分的に基づいて、送信間のクワイエット期間をスケジューリングすることをさらに含む請求項８記載の方法。
【請求項１１】
前記データパケットを選択することは、前記バッファ中に記憶されている前記データパケットに関係付けられているスケジューリング情報に少なくとも部分的に基づいている請求項１記載の方法。
【請求項１２】
ワイヤレス通信デバイスにおいて、
複数のデータパケットを記憶するバッファと、
プロセッサと、
命令を記憶するメモリとを具備し、
前記命令は、前記プロセッサによって実行されるとき、前記ワイヤレス通信デバイスに、
電力増幅器の温度を決定させ、
前記データパケットのそれぞれの特性を決定させ、
前記バッファからデータパケットを選択させ、
前記電力増幅器の温度と前記特性とに少なくとも部分的に基づいて、前記電力増幅器の出力電力レベルを決定させ、
前記選択させたデータパケットを送信させるワイヤレス通信デバイス。
【請求項１３】
前記命令の実行は、前記ワイヤレス通信デバイスにさらに、
前記電力増幅器の温度と前記特性とに少なくとも部分的に基づいて、前記データパケットを選択させる請求項１２記載のワイヤレス通信デバイス。
【請求項１４】
前記命令の実行は、前記ワイヤレス通信デバイスにさらに、
前記複数のデータパケットが前記バッファ中に記憶される順序とは異なる順序で前記データパケットを選択させる請求項１２記載のワイヤレス通信デバイス。
【請求項１５】
前記命令の実行は、前記ワイヤレス通信デバイスにさらに、
リンクバジェットに少なくとも部分的に基づいて、コーディングスキームを決定させ、
前記コーディングスキームを使用させて、前記選択させたデータパケットをエンコードさせる請求項１２記載のワイヤレス通信デバイス。
【請求項１６】
前記命令の実行は、前記ワイヤレス通信デバイスにさらに、
前記選択するデータパケットに関係付けられているサービス品質（ＱｏＳ）インデックスに少なくとも部分的に基づいて、前記データパケットを選択させる請求項１２記載のワイヤレス通信デバイス。
【請求項１７】
命令を記憶した非一時的コンピュータ読取可能媒体において、
前記命令は、ワイヤレス通信デバイスのプロセッサによって実行されるとき、前記ワイヤレス通信デバイスに、
バッファ中に複数のデータパケットを記憶させ、
電力増幅器の温度を決定させ、
前記データパケットのそれぞれの特性を決定させ、
前記バッファから前記データパケットを選択させ、
前記電力増幅器の温度と前記特性とに少なくとも部分的に基づいて、前記電力増幅器の出力電力レベルを決定させ、
前記選択させたデータパケットを送信させる非一時的コンピュータ読取可能媒体。
【請求項１８】
前記命令の実行は、前記ワイヤレス通信デバイスにさらに、
前記電力増幅器の温度に少なくとも部分的に基づいて、前記データパケットを選択させる請求項１７記載の非一時的コンピュータ読取可能媒体。
【請求項１９】
前記命令の実行は、前記ワイヤレス通信デバイスにさらに、
前記複数のデータパケットが前記バッファ中に記憶される順序とは異なる順序で前記データパケットを選択させる請求項１７記載の非一時的コンピュータ読取可能媒体。
【請求項２０】
前記命令の実行は、前記ワイヤレス通信デバイスにさらに、
リンクバジェットに少なくとも部分的に基づいて、コーディングスキームを決定させ、
前記コーディングスキームを使用させて、前記選択させたデータパケットをエンコードさせる請求項１７記載の非一時的コンピュータ読取可能媒体。
【発明の詳細な説明】
【技術分野】
【０００１】
［０００１］
本発明は、一般的に通信デバイスに関連し、より具体的には、通信デバイス中の電力増幅器における電力消費を制御することに関連する。
【関連技術の背景】
【０００２】
［０００２］
通信媒体を通して、通信デバイスは、他の通信デバイスとデータパケットを送信および受信してもよい。通信媒体は、例えば、ラインドライバを通してワイヤに渡ってデータパケットが送信される（例えば、駆動される）、同軸または撚り対ワイヤを使用する、ワイヤード媒体であってもよい。別の通信媒体は、無線周波数（ＲＦ）電力増幅器を介して空気を通してデータパケットが送信されるワイヤレス媒体であってもよい。用語「電力増幅器」は、ラインドライバおよびＲＦ電力増幅器の両方を指すために使用してもよい。電力増幅器において（利用可能な出力電力レベルと比較して）比較的大きな出力電力レベルを使用して、データパケットを送信し、通信デバイス間の通信範囲を増加させてもよい。大きな出力電力レベルはまた、通信媒体を通しての送信エラーを低減させる。
【０００３】
［０００３］
しかしながら、比較的大きな出力電力レベルは、電力消費を増加させ、通信デバイスのバッテリー寿命を減少させるかもしれない。比較的大きな出力電力レベルは、通信デバイス内で発生する熱も増加させるかもしれない。いくつかのケースでは、発生する熱が過剰かもしれず、通信デバイスの一部分が熱限界に達するようにさせるかもしれない。次に、通信デバイスからの送信が、一時的に停止され（例えば、抑えられ）、通信デバイスの温度が許容可能なレベルに低下するようにしてもよい。送信を抑えることは、全体的なデータスループットを低減させ、送信されるデータパケットの待ち時間を増加させるかもしれない。
【０００４】
［０００４］
電力増幅器の出力電力レベルは、電力増幅器が熱限界に達することを防ぐために固定してもよい。しかしながら、固定された電力出力レベルは、典型的に最大利用可能なレベルより低い。したがって、固定された出力電力レベルは、通信デバイス間の通信範囲を減少させ、送信されるデータに関係付けられているエラーレートを増加させるかもしれない。
【０００５】
［０００５］
したがって、電力増幅器の制御を向上させ、通信デバイスの性能を増加させ、電力消費を減少させる必要がある。
【概要】
【０００６】
［０００６］
本概要は、詳細な説明において以下でさらに説明する概念の選択を、簡略化した形態で紹介するために提供されている。本概要は、請求項中に記載されている主題事項の重要な特徴または本質的な特徴を識別することを意図しておらず、請求項中に記載されている主題事項の範囲を限定することも意図していない。
【０００７】
［０００７］
ワイヤレス通信デバイスを介してデータを送信するデバイスおよび方法を開示する。本実施形態にしたがうと、ワイヤレス通信デバイスにおいて、複数のデータパケットをバッファ中に記憶させてもよい。電力増幅器の温度と、データパケットのそれぞれの特性とを決定してもよい。電力増幅器の出力電力レベルは、電力増幅器の温度と特性とに少なくとも部分的に基づいて、決定してもよい。データパケットは、バッファから選択され、送信されてもよい。
【０００８】
［０００８］
いくつかの実施形態に対して、ワイヤレス通信デバイスは、複数のデータパケットを記憶するバッファと、電力増幅器の温度を決定し、データパケットのそれぞれの特性を決定し、バッファからデータパケットを選択し、電力増幅器の温度と複数のデータパケットに関係付けられている特性とに少なくとも部分的に基づいて、電力増幅器の出力電力レベルを決定するプロセッサとを含んでいてもよい。
【図面の簡単な説明】
【０００９】
［０００９］
本実施形態は、例として図示され、添付図面の図によって制限するように意図していない。同様の番号は、図面および明細書を通して同様のエレメントを参照する。
【図１】［００１０］  図１は、本実施形態が実現できる例示的な通信システムを描いている。
【図２】［００１１］  図２は、図１のワイヤレスデバイスの別の実施形態であるワイヤレスデバイスを示している。
【図３】［００１２］  図３は、いくつかの実施形態にしたがって、データパケットを送信し、電力増幅器の電力消費を制御するように、図２のプロセッサに提供され、および／または、図２のデバイスのプロセッサによって使用される、多数の動作パラメータを描いているダイヤグラムである。
【図４】［００１３］  図４は、いくつかの実施形態にしたがうワイヤレスデバイスの一部分を示している。
【図５】［００１４］  図５は、いくつかの実施形態にしたがって、第１のワイヤレスデバイスから第２のワイヤレスデバイスへデータパケットを送信する例示的な動作を描いた実例となるフローチャートを図示している。
【詳細な説明】
【００１０】
［００１５］
本実施形態を、簡略化のみのために、Ｗｉ−Ｆｉ可能なデバイスの文脈で、以下で説明する。本実施形態は、他のさまざまなワイヤレス標準規格またはプロトコルの信号を使用するデバイスに対して等しく適用可能であることを理解すべきである。ここで使用するように、用語「ワイヤレスローカルエリアネットワーク（ＷＬＡＮ）」と「Ｗｉ−Ｆｉ」は、ＩＥＥＥ８０２．１１標準規格、ＢＬＵＥＴＯＯＴＨ（登録商標）、ＨｉｐｅｒＬＡＮ（ヨーロッパで主に使用される、ＩＥＥＥ８０２．１１標準規格と同等の１組のワイヤレス標準規格）、ワイヤレス通信において使用される他のテクノロジーによって規定される通信を含んでいてもよい。
【００１１】
［００１６］
以下の説明では、本開示の完全な理解を提供するために、特定のコンポーネント、回路、およびプロセスの例として、多数の特定の詳細を述べる。ここで使用されている用語「結合されている」は、直接的に結合されていること、あるいは、１つ以上の介在するコンポーネントまたは１つ以上の介在する回路を通して結合されていることを意味する。また、以下の記述において、説明の目的で、本実施形態の完全な理解を提供するために、特定の術語を述べている。しかしながら、これらの特定の詳細が本実施形態を実施するために要求されないかもしれないことは、当業者にとって明らかだろう。本開示を不明確にするのを防ぐために、他の例において、よく知られている回路およびデバイスをブロックダイヤグラムの形態で示している。ここで説明している、さまざまなバスを介して提供される信号のうちのいずれかは、他の信号と時間多重化され、１つ以上の共通のバスを介して提供されるかもしれない。さらに、回路エレメント間またはソフトウェアブロック間の相互接続は、バスとして、または、単一の信号ラインとして示されるかもしれない。バスのそれぞれは代替的に単一の信号ラインであってもよく、単一の信号ラインのそれぞれは代替的にバスであってもよく、単一のラインまたはバスは、コンポーネント間の通信のための無数の物理的または論理的メカニズムのうちの任意の１つ以上を表しているかもしれない。本実施形態は、ここで説明する特定の例に限定して解釈されるものではなく、むしろその範囲内に、添付された特許請求の範囲によって規定されるすべての実施形態を含むものである。
【００１２】
［００１７］
図１は、本実施形態を実現できる例示的な通信システム１００を描いている。示すように、通信システム１００は、ワイヤレスデバイス１０１および１０２を含んでいる。他の実施形態では、２つより多いワイヤレスデバイスが通信システム１００中に含まれている。ワイヤレスデバイス１０１および１０２は、Ｗｉ−Ｆｉデバイスであってもよく、通信媒体内で確立される通信リンクを通して互いにデータパケットを送信および受信してもよい。ワイヤレスデバイス１０１および１０２は、セル電話機、デスクトップコンピュータ、ラップトップコンピュータ、タブレットコンピュータ、ワイヤレスアクセスポイント、または、これらに類するもののような、任意の適切なワイヤレス通信デバイスであってもよいが、これらに限定されない。
【００１３】
［００１８］
ワイヤレスデバイス１０１は、媒体アクセス制御（ＭＡＣ）レイヤ１０３および物理（ＰＨＹ）レイヤ１０４を含んでいてもよい。ＭＡＣレイヤ１０３は、簡略化のために示していない、他のモジュール、プログラムまたはアプリケーションからデータ信号を受け取ってもよい。例えば、ＭＡＣレイヤ１０３は、複数のプログラムおよび／またはアプリケーションが、ＰＨＹレイヤ１０４を通して通信媒体にアクセスできるようにしてもよい。ＭＡＣレイヤ１０３は、（例えば、ワイヤレスデバイス１０１中で、簡略化のために示さない上位レイヤおよび／または処理リソースによって提供される）データに基づいて、データパケットを発生させてもよく、データパケットをＰＨＹレイヤ１０４に提供してもよい。ＰＨＹレイヤ１０４は、電力増幅器（ＰＡ）１２３による通信リンク上での送信のためのデータパケットを受け取り、バッファし、処理してもよい。
【００１４】
［００１９］
ＰＨＹレイヤ１０４は、ＰＡ制御装置１０６を含んで、ＰＡ１２３の動作を制御してもよく、また、（簡略化のために示さないが）バッファおよび変調器のような、ＰＨＹレイヤ１０４内の他のエレメントを制御してもよい。いくつかの実施形態では、ＰＡ制御装置１０６は、ＰＡ１２３およびＰＨＹレイヤ１０４の動作パラメータを決定してもよい。例えば、ＰＡ制御装置１０６は、ＰＡ１２３および／またはワイヤレスデバイス１０１の温度、データパケット特性、ならびに／あるいは、通信リンクに関係付けられているリンクバジェットに少なくとも部分的に基づいて、ＰＡ１２３の出力電力レベルを制御してもよい。ＰＡ制御装置１０６の動作は、図３〜５に関連して以下でより詳細に説明する。ワイヤレスデバイス１０１および１０２は、類似していてもよく、類似するエレメントを含んでいてもよい。したがって、いくつかの実施形態では、ワイヤレスデバイス１０２は、ワイヤレスデバイス１０１に関して説明したエレメントと類似するエレメントを含んでいてもよい。
【００１５】
［００２０］
ワイヤレスデバイスの文脈内で説明したが、本実施形態は、ワイヤード通信デバイスでも実現できる。（簡略化のために示していない）ワイヤード通信デバイスは、デスクトップコンピュータ、パワーライン通信（ＰＬＣ）モデム、ラップトップコンピュータ、アクセスポイント、または、類似するデバイスのような任意の適切なワイヤードデバイスであってもよいが、これらに限定されない。ワイヤード通信デバイスは、例えば、撚り対ワイヤ、同軸ケーブル、光ファイバライン、パワーラインのような、ワイヤード媒体に結合されていてもよい。ワイヤード通信デバイスは、上記で説明したように、類似して構成されているＭＡＣレイヤ１０３およびＰＨＹレイヤ１０４も含んでいてもよい。ワイヤード通信デバイスは、ＰＡ１２３の代わりにラインドライバも含んでいてもよい。
【００１６】
［００２１］
図２は、図１のワイヤレスデバイス１０１の別の実施形態であるワイヤレスデバイス２００を示している。ワイヤレスデバイス２００は、送信機２１０、プロセッサ２３０、およびメモリ２４０を含んでいる。プロセッサ２３０は、図１のＭＡＣレイヤ１０３に関係付けられていてもよい。送信機２１０は、図１のＰＨＹレイヤ１０４に関係付けられていてもよく、プロセッサ２３０に結合されている。送信機２１０は、プロセッサ２３０および／またはＭＡＣレイヤ１０３からデータパケットを受け取り、通信リンク上で送信する。送信機２１０は、選択したコーディングスキームにしたがって、データパケットをエンコードしてもよく、ＰＡ１２３を介して、エンコードされたパケットを増幅してもよい。送信機２１０は、データパケットを記憶させるためのバッファ２２０を含んでいてもよい。プロセッサ２３０はメモリ２４０に結合されていてもよい。
【００１７】
［００２２］
さらに、メモリ２４０は、以下のソフトウェアモジュールを記憶することができる非一時的コンピュータ読取可能記憶媒体（例えば、ＥＰＲＯＭ、ＥＥＰＲＯＭ（登録商標）、フラッシュメモリ、ハードドライブ等のような、１つ以上の不揮発性メモリエレメント）も含んでいてもよい。  
・送信機２１０に提供されるデータパケットに関係付けられている１つ以上の特性を決定するデータパケット特性モジュール２４２  
・バッファ２２０から送信のためのデータパケットを選択するバッファ制御モジュール２４４  
・通信リンクに関係付けられているリンクバジェットを決定するリンクバジェットモジュール２４６  
・バッファ２２０中に記憶されているデータパケットに関係付けられている特性、通信リンクに関係付けられているリンクバジェット、ＰＡ１２３の温度、および／または、他の適切なパラメータに少なくとも部分的に基づいて、ＰＡ１２３の出力電力を制御するＰＡ出力制御モジュール２４８  
各ソフトウェアモジュールは、プロセッサ２３０によって実行されるとき、ワイヤレスデバイス２００に、対応する機能を実行させるプログラム命令を含んでいる。したがって、メモリ２４０の非一時的コンピュータ読取可能記憶媒体は、図５の動作のすべてまたは一部分を実施するための命令を含んでいてもよい。プロセッサ２３０は、ワイヤレスデバイス２００中に（例えば、メモリ２４０内に）記憶されている１つ以上のソフトウェアプログラムのスクリプトまたは命令を実行できる任意の適切なプロセッサであってもよい。
【００１８】
［００２３］
プロセッサ２３０は、データパケット特性モジュール２４２を実行して、バッファ２２０、ＭＡＣレイヤ１０３、および／または、メモリ２４０中に記憶されていてもよいデータパケットに関係付けられている１つ以上の特性を決定してもよい。いくつかの実施形態では、１つ以上のデータパケット特性は、パケットサイズおよび／またはパケット長を含んでいてもよい。例えば、いくつかのデータパケットは、数バイトだけ（例えば、肯定応答データパケット）かもしれない一方で、他のデータパケットは、進行中のビデオストリームの一部分であるかもしれない。いくつかの実施形態では、１つ以上のデータパケット特性は、相対優先度、待ち時間要件、スケジューリング情報、および、これらに類するもののような、サービス品質（ＱｏＳ）特性を含んでいてもよい。例えば、データパケットは、データパケットが送信されるときに関するタイミング要件を有するデータパケットであってもよい。別の例では、データパケットは、送信タイミング要件を有する、送信制御プロトコル（ＴＣＰ）パケットまたはユーザデータグラムプロトコル（ＵＤＰ）パケットであってもよい。１つ以上のデータパケット特性は、データパケット周期を含んでいてもよい。例えば、データパケットは、周期的に送信されるビーコン信号の一部分であってもよい。
【００１９】
［００２４］
プロセッサ２３０は、バッファ制御モジュール２４４を実行して、ＰＡ１２３を通した送信のために、バッファ２２０からデータパケットを選択してもよい。バッファ制御モジュール２４４は、バッファ２２０のコンテンツを追跡して、送信のための特定のデータパケットを選択してもよい。いくつかの実施形態では、バッファ制御モジュール２４４は、データパケットがバッファ２２０によって受け取られた順序に関して異なる順序で、送信のためのデータパケットを選択してもよい。
【００２０】
［００２５］
プロセッサ２３０は、リンクバジェットモジュール２４６を実行して、通信リンクに対するリンクバジェットを決定してもよい。例えば、リンクバジェットモジュール２４６は、特定の通信リンクに対して、データパケットの受信ワイヤレスデバイスへの送信が成功するようにする、ＰＡ１２３に対する出力電力レベルの範囲および／またはコーディングスキームの範囲を記述するリンクバジェットを決定してもよい。いくつかの実施形態では、リンクバジェットは、受信ワイヤレスデバイスの受信信号強度インジケータ（ＲＳＳＩ）に少なくとも部分的に基づいていてもよい。
【００２１】
［００２６］
プロセッサ２３０は、バッファ制御モジュール２４４を通してデータパケットを含むバッファを選択するように、ＰＡ出力制御モジュール２４８を実行してもよく、データパケットに対するコーディングスキームを決定してもよい。ＰＡ出力制御モジュール２４８は、データパケットの特性、ＰＡ１２３の温度、および／または、受信ワイヤレスデバイスとの通信リンクに関係付けられているリンクバジェットのうちの１つ以上に少なくとも部分的に基づいて、ＰＡ１２３の出力電力レベルを決定してもよい。
【００２２】
［００２７］
したがって、いくつかの実施形態では、ＰＡ出力制御モジュール２４８は、送信されるデータパケットに対するＰＡ１２３の出力電力レベルを決定してもよい。いくつかの実施形態では、出力電力レベルは、データパケット毎に変化してもよく、ＰＡ１２３の温度を含むワイヤレスデバイス２００の現在の動作条件に基づいて、動的に調節してもよい。データパケット特性モジュール２４２、バッファ制御モジュール２４４、リンクバジェットモジュール２４６、および、ＰＡ出力制御モジュール２４８の動作を、図３〜５に関連して以下で説明する。
【００２３】
［００２８］
図３は、いくつかの実施形態にしたがって、データパケットを送信し、ＰＡ１２３の電力消費を制御するために、プロセッサ２３０に提供されてもよい、または、プロセッサ２３０によって決定されてもよい、および／または、プロセッサ２３０によって使用されてもよい、多数の動作パラメータを描いている。図３の例示的な実施形態に対して、プロセッサ２３０は、ＰＡ１２３の温度を示すＰＡ温度３１０、データパケットに関係付けられているスケジューリング（例えば、タイミング）特性を示す情報３１５、データパケットに関係付けられている１つ以上のＱｏＳ特性を示す情報３２０、データパケットの長さを示す情報３２５、および／または、通信リンクに関係付けられているリンクバジェットに関する情報３３０を受け取ってもよい。いくつかの実施形態に対して、プロセッサ２３０は、ＰＡ１２３を通してデータパケットを送信するとき、任意の数（例えば、したがって、任意の組み合わせ）の動作パラメータ３１０、３１５、３２０、３２５、および３３０を考慮してもよい。図３は、すべての動作パラメータ３１０、３１５、３２０、３２５、および３３０を受け取るプロセッサ２３０を図示しているが、例えば、動作パラメータ３１０、３１５、３２０、３２５、および３３０の任意のサブセット、または、図３中に図示されていないパラメータのような、情報の他の組み合わせを受け取ってもよいことを理解すべきである。
【００２４】
［００２９］
いくつかの実施形態では、データパケットは、データパケットに関係付けられている相対ＱｏＳを示すＱｏＳインデックスを含んでいてもよい。例えば、ＱｏＳインデックスは、他のデータパケットと比較したデータパケットの送信優先度を記述してもよい。送信優先度は、データパケットの相対優先度を示してもよい。ビーコンまたは肯定応答に対するデータパケットのような、より高い優先度のデータパケットには、「ベストエフォート」または「バックグラウンド」データパケットのような、より低い優先度のデータパケットよりもより高いＱｏＳインデックスが割り当てられてもよい。いくつかのゲーミングアプリケーションに関係付けられているデータパケットにも、ゲーム関連データパケットが他のデータパケットの前に送信されるように、より高いＱｏＳインデックスが割り当てられてもよい。別の例では、ＱｏＳインデックスは、データパケットの周期的な特性を示してもよい。周期的なビーコンに対するデータパケットには、非周期的データパケットに対するデータパケットと比較して、より高いＱｏＳインデックスが割り当てられてもよい。別の例では、ＱｏＳインデックスは、データパケットに関係付けられている相対待ち時間を示してもよい。短い待ち時間（例えば、短い応答時間に関係付けられているかもしれないデータパケット）を有するデータパケットには、長い応答時間に関係付けられているかもしれないデータパケットと比較して、より高いＱｏＳインデックスが割り当てられてもよい。いくつかの実施形態では、ＱｏＳインデックスは、いくつかのＱｏＳ特性を単一のインデックス番号に集約してもよい。例えば、ＱｏＳインデックスは、優先度、周期、および／または、待ち時間の、重み付けられた平均であってもよい。いくつかの実施形態では、上記で説明したＱｏＳ特性のうちのいくつかまたはすべてが、ＱｏＳインデックス中に含まれてもよい。他の実施形態では、ここでは説明しなかった他のＱｏＳ特性を、ＱｏＳインデックス中に含めてもよい。ＱｏＳインデックスは、ワイヤレスデバイス１０１中に含まれる、ＭＡＣレイヤ１０３または他のソフトウェア、ハードウェアまたはファームウェアによって決定してもよい。ＱｏＳインデックスはまた、バッファ２２０中に記憶されていてもよい。
【００２５】
［００３０］
図４は、いくつかの実施形態にしたがった、ワイヤレスデバイス１０１の一部分を示している。示しているように、ワイヤレスデバイス１０１は、ＰＨＹレイヤ１０４に結合されているＭＡＣレイヤ１０３を含んでいる。ＰＨＹレイヤ１０４は、ＰＡ１２３、ＰＡ制御装置１０６、バッファ２２０、パケットセレクタ４０４、および、エンコーダ４０６を含んでいる。ＭＡＣレイヤ１０３は、バッファ２２０およびＰＡ制御装置１０６に結合されている。バッファ２２０は、ＭＡＣレイヤ１０３からデータパケットを受け取りおよび／または受け取ったデータパケットを記憶してもよい。
【００２６】
［００３１］
パケットセレクタ４０４は、バッファ２２０、ＰＡ制御装置１０６、および、エンコーダ４０６に結合されている。パケットセレクタ４０４は、バッファ２２０からのデータパケットを選択し、データパケットをエンコーダ４０６に提供してもよい。エンコーダ４０６は、通信リンクを通しての送信のために、データパケットをエンコードしてもよい。いくつかの実施形態では、エンコーダ４０６は、ＩＥＥＥ８０２．１１標準規格によって説明されている変調およびコーディングスキーム（ＭＣＳ）のようなコーディングスキームにしたがって、データパケットをエンコードしてもよい。いくつかのコーディングスキームは、他のコーディングスキームよりもシンボル毎により多くのビットをエンコードしてもよく、したがって、他のコーディングスキームよりもより高いコーディングレートを有していてもよい。逆に言えば、いくつかのコーディングスキームは、他のコーディングスキームと比較して、シンボル毎により少ないビットをエンコードするかもしれず、したがって、他のコーディングスキームよりもより低いコーディングレートを有しているかもしれない。ＰＡ１２３は、エンコーダ４０６に結合されていてもよく、エンコーダ４０６からエンコードされたデータパケットを受け取ってもよい。ＰＡ１２３は、出力電力レベルにおいて、エンコードされたデータパケットを送信してもよい。
【００２７】
［００３２］
ＰＡ制御装置１０６は、バッファ２２０、パケットセレクタ４０４、エンコーダ４０６、および／または、ＰＡ１２３に結合され、ならびに、バッファ２２０、パケットセレクタ４０４、エンコーダ４０６、および／または、ＰＡ１２３を制御してもよい。ＰＡ制御装置１０６は、１つ以上のデータパケット特性、ＰＡ１２３の温度、および／または、リンクバジェットに少なくとも部分的に基づいて、ＰＡ１２３の出力電力レベルを決定してもよい。１つ以上のデータパケット特性は、データパケット長、データパケットスケジューリング情報、および、データパケットＱｏＳ情報を含んでいてもよい。ＰＡ制御装置１０６は、バッファ２２０からおよび／またはＭＡＣレイヤ１０３からデータパケット長情報を決定してもよい。ＭＡＣレイヤ１０３は、例えば、データパケットが周期的な信号に関係付けられているか否かを示す情報のような、データパケットスケジューリング情報を提供してもよい。周期的な信号は、ビーコン信号のような、時間に敏感な信号であるかもしれない。いくつかの実施形態では、データパケットＱｏＳ情報は、バッファ２２０中に記憶されているデータパケットに関係付けられているＱｏＳインデックスによって決定してもよい。他の実施形態では、データパケットＱｏＳ情報は、ＭＡＣレイヤ１０３によって提供されてもよい。リンクバジェットは、ＰＡ制御装置１０６によって受け取られるＲＳＳＩ情報に基づいていてもよい。上記で説明したように、リンクバジェットは、ＰＡ１２３に対する出力電力レベルの範囲を決定してもよい。
【００２８】
［００３３］
ＰＡ制御装置１０６は、ＰＡ１２３の温度、１つ以上のデータパケット特性、データパケットＱｏＳ情報、および／または、リンクバジェット情報に少なくとも部分的に基づいて、エンコーダ４０６によって使用されるコーディングスキームを決定してもよい。リンクバジェットは、エンコーダ４０６が使用するかもしれないコーディングスキームの範囲を決定してもよい。ＰＡ制御装置１０６はまた、パケットセレクタ４０４を制御して、データパケットＱｏＳ情報、１つ以上のデータパケット特性、および／または、ＰＡ１２３の温度に少なくとも部分的に基づいて、バッファ２２０からデータパケットを選択してもよい。
【００２９】
［００３４］
いくつかの実施形態では、ＰＡ１２３の出力電力レベルの決定、エンコーダ４０６によって使用されるコーディングスキームの決定、パケットセレクタ４０４によるデータパケットの選択は、ＰＡ制御装置１０６によって別々にまたはパラレルに達成してもよい。例えば、ＰＡ制御装置１０６は、リンクバジェット、リンクバジェットを満たすことができる、出力電力レベル、および／または、コーディングスキームを並行して決定してもよい一方で、予め定められた温度範囲内でＰＡ１２３を動作させてもよい。別の例では、ＰＡ制御装置１０６は、リンクバジェット、出力電力レベル、および／または、コーディングスキームを別々に決定してもよい。
【００３０】
［００３５］
いくつかの実施形態では、ＰＡ制御装置１０６は、バッファ２２０から（他のデータパケットと比較して）比較的短いデータパケットを選択して、ＰＡ１２３を通して送信してもよい。より短いデータパケットは、より長いデータパケットよりもより速く送信でき、ＰＡ１２３に対する冷却期間を許容できる。いくつかの実施形態では、データパケット送信間に、ＰＡ制御装置１０６によって短いクワイエット（非送信）期間をスケジューリングしてもよい。クワイエット期間は、ＰＡ１２３の温度が低下することを可能にする。いくつかの実施形態では、クワイエット期間のスケジューリングは、ＱｏＳインデックスによって示すことができる、送信されるデータパケットの待ち時間要件を満たすことができる。いくつかの実施形態では、ＰＡ１２３がより短い期間で動作し、したがって、時間期間を通してより少ない熱を発生させることから、より短いデータパケットは、より高い出力電力レベルで送信することができる。
【００３１】
［００３６］
いくつかの実施形態では、ＰＡ制御装置１０６は、バッファ２２０から比較的長いデータパケットを選択して、ＰＡ１２３を通して送信してもよい。（例えば、より熱いＰＡ１２３と比較して、）例えば、より冷たいＰＡ１２３は、より長いデータ送信に関係する温度上昇を持続させることができることから、ＰＡ１２３の温度がしきい値より低いとき、ＰＡ制御装置１０６は、送信のためにより長いデータパケットを選択してもよい。したがって、ＰＡ制御装置１０６は、ここで説明したさまざまな動作パラメータに依存して、送信のためにより長いまたはより短いデータパケットを選択することにより、ＰＡ１２３の温度を制御してもよい。
【００３２】
［００３７］
いくつかの実施形態では、ＰＡ制御装置１０６は、（リンクバジェットによって可能であるとき）より高いコーディングスキームを選択して、データパケットをより速く送信してもよい。そうすることにより、ＰＡ制御装置１０６は、データパケット送信間のクワイエット期間をスケジューリングして、ＰＡ１２３の温度を低下できるようにしてもよい。
【００３３】
［００３８］
いくつかの実施形態では、ＰＡ制御装置１０６は、比較的より高い優先度を有するデータパケットを選択して、ＰＡ１２３を通して送信してもよい。いくつかのケースでは、データパケットは、バッファ２２０中に記憶されたのと異なる順序で選択されてもよい。（比較的より低い優先度のデータパケットよりもむしろ）より高い優先度のデータパケットを選択することは、データパケットが、データパケットＱｏＳ情報にしたがって送信できるようにする。
【００３４】
［００３９］
いくつかの実施形態では、ＰＡ制御装置１０６は、リンクバジェットによって決定された範囲内で出力電力レベルを調節してもよい。例えば、ＰＡ制御装置１０６は、出力電力レベルを増加させて、送信通信デバイスと受信通信デバイスとの間の通信範囲を拡張してもよい。代替的に、ＰＡ制御装置１０６は、出力電力レベルを減少させて、電力消費を低減および／またはＰＡ１２３の温度を低減させてもよい。いくつかの実施形態では、ＰＡ制御装置１０６は、リンクバジェットによって決定された範囲内でデータパケットをエンコードするのに使用されるコーディングスキームを調節してもよい。例えば、ＰＡ制御装置１０６は、より高いコーディングスキームを選択して、データ送信の期間をより短くしてもよく、または、ＰＡ制御装置１０６は、より低いコーディングスキームを選択して、データ送信の信頼性を増加させてもよい。
【００３５】
［００４０］
図５は、いくつかの実施形態にしたがって、第１のワイヤレスデバイスから第２のワイヤレスデバイスにデータパケットを送信するための例示的な動作５００を描いた実例となるフローチャートを示している。いくつかの実施形態は、追加の動作、より少ない動作、異なる順序での動作、パラレル動作、および、いくつかの異なった動作で、ここで説明した動作を実行してもよい。図４も参照すると、バッファ２２０中にデータパケットを記憶させてもよい（５１０）。いくつかの実施形態では、データパケットは、ＭＡＣレイヤ１０３によって提供されてもよい。データパケットは、変化する長さのものであってもよく、データパケットの相対優先度を記述するＱｏＳインデックスを含んでいてもよい。次に、ＰＡ制御装置１０６は、ＰＡ１２３の温度を決定する（５２０）。いくつかの実施形態では、ＰＡ制御装置１０６は、ＰＡ１２３内に含まれる（簡略化のために示していない）温度センサを通して、ＰＡ１２３の温度を決定してもよい。次に、ＰＡ制御装置１０６は、第１のワイヤレスデバイスと第２のワイヤレスデバイスとの間の通信リンクに対するリンクバジェットを決定する（５３０）。例えば、ＰＡ制御装置１０６は、受信通信デバイスからＲＳＳＩ情報を受け取ってもよい。リンクバジェットは、ＲＳＳＩ情報に少なくとも部分的に基づいていてもよく、ＰＡ１２３に対する出力電力レベルの範囲を含んでいてもよく、および／または、データパケットをエンコードするためのコーディングスキームの範囲を含んでいてもよい。
【００３６】
［００４１］
次に、ＰＡ制御装置１０６は、バッファ２２０中のデータパケットの１つ以上の特性を決定する（５４０）。いくつかの実施形態に対して、ＰＡ制御装置１０６は、例えば、データパケット優先度、データパケット待ち時間、データパケット周期、および、これらに類するもののような、データパケット特性を決定してもよい。いくつかの実施形態に対して、ＰＡ制御装置１０６は、データパケットのＱｏＳを決定してもよい（５４２）。例えば、ＰＡ制御装置１０６は、データパケットに関係付けられているＱｏＳインデックスを決定してもよい。別の例では、ＰＡ制御装置１０６は、ＭＡＣレイヤ１０３からデータパケットに関係付けられているＱｏＳ情報を受け取ってもよい。いくつかの実施形態に対して、ＰＡ制御装置１０６は、データパケットの長さを決定してもよい（５４４）。例えば、ＰＡ制御装置１０６は、バッファ２２０中に記憶されているデータパケットの長さを決定してもよい。別の例では、ＰＡ制御装置１０６は、ＭＡＣレイヤ１０３から受け取った情報を使用して、データパケットの長さを決定してもよい。いくつかの実施形態に対して、ＰＡ制御装置１０６は、データパケットスケジュール情報を決定してもよい（５４６）。データパケットスケジュール情報は、バッファ２２０中に記憶されているデータパケットに関係付けられている時間スケジュールに関する情報を含んでいてもよい。例えば、ＰＡ制御装置１０６は、ＭＡＣレイヤ１０３からデータパケットスケジュール情報を受け取ってもよい。別の例では、ＰＡ制御装置１０６は、バッファ２２０中に記憶されているデータパケットを追跡し、特徴付けることにより、データパケットスケジュール情報を決定してもよい。
【００３７】
［００４２］
次に、ＰＡ１２３は、データパケットを送信する（５５０）。より具体的には、いくつかの実施形態では、ＰＡ制御装置１０６は、バッファ２２０からデータパケットを選択して（５５２）、ＰＡ１２３に対する出力電力レベルを決定し（５４）、および／または、エンコーダ４０６に対するコーディングスキームを決定してもよい（５５６）。選択したデータパケットは、決定したコーディングスキームを使用してエンコードされ、決定した出力電力レベルでＰＡ１２３によって送信される。データパケットの選択５５２、出力電力レベルの決定５５４、および、コーディングスキームの決定５５６は、ＰＡ１２３の温度、リンクバジェット、および／または、図３および図４に関連して上記で説明したような１つ以上のデータパケット特性に少なくとも部分的に基づいてもよい。
【００３８】
［００４３］
次に、ＰＡ制御装置１０６は、バッファ２２０が空か否かを決定してもよい（５６０）。バッファ２２０が空の場合、動作は終了する。バッファ２２０が空でない場合、動作は５２０に進む。
【００３９】
［００４４］
上述の明細書では、本実施形態を特定の実例的な実施形態に関連して説明した。しかしながら、添付の特許請求の範囲に記述するような、本開示のより広い範囲から逸脱することなく、それらに対するさまざまな修正および変更をすることができることが明らかであろう。それゆえに、本明細書および図面は、限定的な意味よりもむしろ、例示的な意味で考慮すべきである。
【図１】
2017528065.tif 000003
【図２】
2017528065.tif 000004
【図３】
2017528065.tif 000005
【図４】
2017528065.tif 000006
【図５】
2017528065.tif 000007
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
ワイヤレス通信デバイスを介してデータを送信する方法において、
前記ワイヤレス通信デバイスにおいて、バッファ中に複数のデータパケットを記憶させることと、
電力増幅器の温度を決定することと、
前記複数のデータパケットのそれぞれの特性を決定することと、
前記電力増幅器の温度に少なくとも部分的に基づいて、前記バッファから前記データパケットを選択することと、
前記電力増幅器の温度と前記決定した特性とに少なくとも部分的に基づいて、前記電力増幅器の出力電力レベルを決定することと、
前記選択したデータパケットを送信することとを含む方法。
【請求項２】
前記電力増幅器の出力電力レベルを決定することは、前記電力増幅器の温度がしきい値より高いとき、データパケット長に少なくとも部分的に基づいている請求項１記載の方法。
【請求項３】
前記データパケットを選択することは、前記複数のデータパケットが前記バッファ中に記憶される順序とは異なる順序で前記データパケットを選択することをさらに含む請求項１記載の方法。
【請求項４】
リンクバジェットと前記電力増幅器の出力電力レベルとに少なくとも部分的に基づいて、コーディングスキームを決定することと、
前記コーディングスキームを使用して、前記選択したデータパケットをエンコードすることとをさらに含む請求項１記載の方法。
【請求項５】
前記選択したデータパケットの長さがしきい値長さより短いとき、前記電力増幅器の出力電力レベルを増加させることをさらに含む請求項１記載の方法。
【請求項６】
前記選択したデータパケットの長さがしきい値長さより長いとき、前記電力増幅器の出力電力レベルを減少させることをさらに含む請求項１記載の方法。
【請求項７】
前記バッファから前記データパケットを選択することは、前記選択するデータパケットに関係付けられているサービス品質（ＱｏＳ）インデックスに少なくとも部分的に基づいており、
前記ＱｏＳインデックスは、データパケット優先度、データパケット周期、および、データパケット待ち時間の、重み付けられた平均に少なくとも部分的に基づいている請求項１記載の方法。
【請求項８】
前記決定した特性は前記ＱｏＳインデックスを含む請求項７記載の方法。
【請求項９】
前記選択したデータパケットを送信することは、前記ＱｏＳインデックスに少なくとも部分的に基づいて、送信間のクワイエット期間をスケジューリングすることをさらに含む請求項７記載の方法。
【請求項１０】
前記データパケットを選択することは、前記バッファ中に記憶されている前記データパケットに関係付けられているスケジューリング情報に少なくとも部分的に基づいている請求項１記載の方法。
【請求項１１】
ワイヤレス通信デバイスにおいて、
物理（ＰＨＹ）レイヤと、
前記ＰＨＹレイヤに結合されている媒体アクセス制御（ＭＡＣ）レイヤとを具備し、
前記ＰＨＹレイヤは、
複数のデータパケットを記憶するバッファと、
前記バッファに結合され、前記データパケットを送信するように構成されている電力増幅器とを備え、
前記ＭＡＣレイヤは、
プロセッサと、
前記ＭＡＣレイヤに結合され、命令を記憶するように構成されているメモリとを備え、
前記命令は、前記プロセッサによって実行されるとき、前記ワイヤレス通信デバイスに、
前記電力増幅器の温度を決定させ、
前記複数のデータパケットのそれぞれの特性を決定させ、
前記電力増幅器の温度に少なくとも部分的に基づいて、前記バッファからデータパケットを選択させ、
前記電力増幅器の温度と前記決定させた特性とに少なくとも部分的に基づいて、前記電力増幅器の出力電力レベルを決定させ、
前記選択させたデータパケットを送信させるワイヤレス通信デバイス。
【請求項１２】
前記命令の実行は、前記ワイヤレス通信デバイスにさらに、
前記複数のデータパケットが前記バッファ中に記憶される順序とは異なる順序で前記データパケットを選択させる請求項１１記載のワイヤレス通信デバイス。
【請求項１３】
前記命令の実行は、前記ワイヤレス通信デバイスにさらに、
リンクバジェットと前記電力増幅器の出力電力レベルとに少なくとも部分的に基づいて、コーディングスキームを決定させ、
前記コーディングスキームを使用させて、前記選択させたデータパケットをエンコードさせる請求項１１記載のワイヤレス通信デバイス。
【請求項１４】
前記命令の実行は、前記ワイヤレス通信デバイスにさらに、
前記選択するデータパケットに関係付けられているサービス品質（ＱｏＳ）インデックスに少なくとも部分的に基づいて、前記データパケットを選択させ、
前記ＱｏＳインデックスは、データパケット優先度、データパケット周期、および、データパケット待ち時間の、重み付けられた平均に少なくとも部分的に基づいている請求項１１記載のワイヤレス通信デバイス。
【請求項１５】
命令を記憶した非一時的コンピュータ読取可能媒体において、
前記命令は、ワイヤレス通信デバイスのプロセッサによって実行されるとき、前記ワイヤレス通信デバイスに、
バッファ中に複数のデータパケットを記憶させ、
電力増幅器の温度を決定させ、
前記複数のデータパケットのそれぞれの特性を決定させ、
前記電力増幅器の温度に少なくとも部分的に基づいて、前記バッファから前記データパケットを選択させ、
前記電力増幅器の温度と前記決定させた特性とに少なくとも部分的に基づいて、前記電力増幅器の出力電力レベルを決定させ、
前記選択させたデータパケットを送信させる非一時的コンピュータ読取可能媒体。
【請求項１６】
前記命令の実行は、前記ワイヤレス通信デバイスにさらに、
前記複数のデータパケットが前記バッファ中に記憶される順序とは異なる順序で前記データパケットを選択させる請求項１５記載の非一時的コンピュータ読取可能媒体。
【請求項１７】
前記命令の実行は、前記ワイヤレス通信デバイスにさらに、
リンクバジェットと前記電力増幅器の出力電力とに少なくとも部分的に基づいて、コーディングスキームを決定させ、
前記コーディングスキームを使用させて、前記選択させたデータパケットをエンコードさせる請求項１５記載の非一時的コンピュータ読取可能媒体。
【請求項１８】
前記バッファから前記データパケットを選択させる命令の実行は、前記ワイヤレス通信デバイスに、
前記選択させるデータパケットに関係付けられているサービス品質（ＱｏＳ）インデックスに少なくとも部分的に基づいて、前記データパケットを選択させ、
前記ＱｏＳインデックスは、データパケット優先度、データパケット周期、および、データパケット待ち時間の、重み付けられた平均に少なくとも部分的に基づいている請求項１５記載の非一時的コンピュータ読取可能媒体。
【手続補正２】
【補正対象書類名】明細書
【補正対象項目名】００３９
【補正方法】変更
【補正の内容】
【００３９】
［００４４］
上述の明細書では、本実施形態を特定の実例的な実施形態に関連して説明した。しかしながら、添付の特許請求の範囲に記述するような、本開示のより広い範囲から逸脱することなく、それらに対するさまざまな修正および変更をすることができることが明らかであろう。それゆえに、本明細書および図面は、限定的な意味よりもむしろ、例示的な意味で考慮すべきである。
以下に、本願出願の当初の特許請求の範囲に記載された発明を付記する。
［１］  ワイヤレス通信デバイスを介してデータを送信する方法において、
前記ワイヤレス通信デバイスにおいて、バッファ中に複数のデータパケットを記憶させることと、
電力増幅器の温度を決定することと、
前記データパケットのそれぞれの特性を決定することと、
前記バッファから前記データパケットを選択することと、
前記電力増幅器の温度と前記特性とに少なくとも部分的に基づいて、前記電力増幅器の出力電力レベルを決定することと、
前記選択したデータパケットを送信することとを含む方法。
［２］  前記データパケットを選択することは、前記電力増幅器の温度と前記特性とに少なくとも部分的に基づいている［１］記載の方法。
［３］  前記電力増幅器の温度が予め定められたしきい値より高いとき、前記特性はデータパケット長である［２］記載の方法。
［４］  前記データパケットを選択することは、前記複数のデータパケットが前記バッファ中に記憶される順序とは異なる順序で前記データパケットを選択することをさらに含む［１］記載の方法。
［５］  リンクバジェットに少なくとも部分的に基づいて、コーディングスキームを決定することと、
前記コーディングスキームを使用して、前記選択したデータパケットをエンコードすることとをさらに含む［１］記載の方法。
［６］  前記選択したデータパケットの長さが予め定められた長さより短いとき、前記電力増幅器の出力電力レベルを増加させることをさらに含む［１］記載の方法。
［７］  前記選択したデータパケットの長さが予め定められた長さより長いとき、前記電力増幅器の出力電力レベルを減少させることをさらに含む［１］記載の方法。
［８］  前記バッファから前記データパケットを選択することは、前記選択するデータパケットに関係付けられているサービス品質（ＱｏＳ）インデックスに少なくとも部分的に基づいている［１］記載の方法。
［９］  前記特性は前記ＱｏＳインデックスを含む［８］記載の方法。
［１０］  前記選択したデータパケットを送信することは、前記ＱｏＳインデックスに少なくとも部分的に基づいて、送信間のクワイエット期間をスケジューリングすることをさらに含む［８］記載の方法。
［１１］  前記データパケットを選択することは、前記バッファ中に記憶されている前記データパケットに関係付けられているスケジューリング情報に少なくとも部分的に基づいている［１］記載の方法。
［１２］  ワイヤレス通信デバイスにおいて、
複数のデータパケットを記憶するバッファと、
プロセッサと、
命令を記憶するメモリとを具備し、
前記命令は、前記プロセッサによって実行されるとき、前記ワイヤレス通信デバイスに、
電力増幅器の温度を決定させ、
前記データパケットのそれぞれの特性を決定させ、
前記バッファからデータパケットを選択させ、
前記電力増幅器の温度と前記特性とに少なくとも部分的に基づいて、前記電力増幅器の出力電力レベルを決定させ、
前記選択させたデータパケットを送信させるワイヤレス通信デバイス。
［１３］  前記命令の実行は、前記ワイヤレス通信デバイスにさらに、
前記電力増幅器の温度と前記特性とに少なくとも部分的に基づいて、前記データパケットを選択させる［１２］記載のワイヤレス通信デバイス。
［１４］  前記命令の実行は、前記ワイヤレス通信デバイスにさらに、
前記複数のデータパケットが前記バッファ中に記憶される順序とは異なる順序で前記データパケットを選択させる［１２］記載のワイヤレス通信デバイス。
［１５］  前記命令の実行は、前記ワイヤレス通信デバイスにさらに、
リンクバジェットに少なくとも部分的に基づいて、コーディングスキームを決定させ、
前記コーディングスキームを使用させて、前記選択させたデータパケットをエンコードさせる［１２］記載のワイヤレス通信デバイス。
［１６］  前記命令の実行は、前記ワイヤレス通信デバイスにさらに、
前記選択するデータパケットに関係付けられているサービス品質（ＱｏＳ）インデックスに少なくとも部分的に基づいて、前記データパケットを選択させる［１２］記載のワイヤレス通信デバイス。
［１７］  命令を記憶した非一時的コンピュータ読取可能媒体において、
前記命令は、ワイヤレス通信デバイスのプロセッサによって実行されるとき、前記ワイヤレス通信デバイスに、
バッファ中に複数のデータパケットを記憶させ、
電力増幅器の温度を決定させ、
前記データパケットのそれぞれの特性を決定させ、
前記バッファから前記データパケットを選択させ、
前記電力増幅器の温度と前記特性とに少なくとも部分的に基づいて、前記電力増幅器の出力電力レベルを決定させ、
前記選択させたデータパケットを送信させる非一時的コンピュータ読取可能媒体。
［１８］  前記命令の実行は、前記ワイヤレス通信デバイスにさらに、
前記電力増幅器の温度に少なくとも部分的に基づいて、前記データパケットを選択させる［１７］記載の非一時的コンピュータ読取可能媒体。
［１９］  前記命令の実行は、前記ワイヤレス通信デバイスにさらに、
前記複数のデータパケットが前記バッファ中に記憶される順序とは異なる順序で前記データパケットを選択させる［１７］記載の非一時的コンピュータ読取可能媒体。
［２０］  前記命令の実行は、前記ワイヤレス通信デバイスにさらに、
リンクバジェットに少なくとも部分的に基づいて、コーディングスキームを決定させ、
前記コーディングスキームを使用させて、前記選択させたデータパケットをエンコードさせる［１７］記載の非一時的コンピュータ読取可能媒体。
【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
ワイヤレス通信デバイスを介してデータを送信する方法において、
前記ワイヤレス通信デバイスにおいて、バッファ中に複数のデータパケットを記憶させることと、
電力増幅器の温度を決定することと、
前記データパケットのそれぞれの特性を決定することと、
前記電力増幅器の温度と、データパケット優先度、データパケット周期、および、データパケット待ち時間の、重み付けられた平均に少なくとも部分的に基づいているサービス品質（ＱｏＳ）インデックスとに少なくとも部分的に基づいて、前記バッファから前記データパケットを選択することと、
前記電力増幅器の温度と前記特性とに少なくとも部分的に基づいて、前記電力増幅器の出力電力レベルを決定することと、
前記選択したデータパケットを送信することとを含む方法。
【請求項２】
前記電力増幅器の出力電力レベルを決定することは、前記電力増幅器の温度が予め定められたしきい値より高いとき、データパケット長に少なくとも部分的に基づいている請求項１記載の方法。
【請求項３】
前記データパケットを選択することは、前記複数のデータパケットが前記バッファ中に記憶される順序とは異なる順序で前記データパケットを選択することをさらに含む請求項１記載の方法。
【請求項４】
リンクバジェットと前記電力増幅器の出力電力レベルとに少なくとも部分的に基づいて、コーディングスキームを決定することと、
前記コーディングスキームを使用して、前記選択したデータパケットをエンコードすることとをさらに含む請求項１記載の方法。
【請求項５】
前記選択したデータパケットの長さが予め定められた長さより短いとき、前記電力増幅器の出力電力レベルを増加させることをさらに含む請求項１記載の方法。
【請求項６】
前記選択したデータパケットの長さが予め定められた長さより長いとき、前記電力増幅器の出力電力レベルを減少させることをさらに含む請求項１記載の方法。
【請求項７】
前記特性は前記ＱｏＳインデックスを含む請求項１記載の方法。
【請求項８】
前記選択したデータパケットを送信することは、前記ＱｏＳインデックスに少なくとも部分的に基づいて、送信間のクワイエット期間をスケジューリングすることをさらに含む請求項１記載の方法。
【請求項９】
前記データパケットを選択することは、前記バッファ中に記憶されている前記データパケットに関係付けられているスケジューリング情報に少なくとも部分的に基づいている請求項１記載の方法。
【請求項１０】
ワイヤレス通信デバイスにおいて、
物理（ＰＨＹ）レイヤと、
前記ＰＨＹレイヤに結合されている媒体アクセス制御（ＭＡＣ）レイヤとを具備し、
前記ＰＨＹレイヤは、
複数のデータパケットを記憶するバッファと、
前記バッファに結合され、前記データパケットを送信するように構成されている電力増幅器とを備え、
前記ＭＡＣレイヤは、
プロセッサと、
前記ＭＡＣレイヤに結合され、命令を記憶するメモリとを備え、
前記命令は、前記プロセッサによって実行されるとき、前記ワイヤレス通信デバイスに、
前記電力増幅器の温度を決定させ、
前記データパケットのそれぞれの特性を決定させ、
前記電力増幅器の温度に少なくとも部分的に基づいて、前記バッファからデータパケットを選択させ、
前記電力増幅器の温度と前記特性とに少なくとも部分的に基づいて、前記電力増幅器の出力電力レベルを決定させ、
前記選択させたデータパケットを送信させるワイヤレス通信デバイス。
【請求項１１】
前記命令の実行は、前記ワイヤレス通信デバイスにさらに、
前記複数のデータパケットが前記バッファ中に記憶される順序とは異なる順序で前記データパケットを選択させる請求項１０記載のワイヤレス通信デバイス。
【請求項１２】
前記命令の実行は、前記ワイヤレス通信デバイスにさらに、
リンクバジェットと前記電力増幅器の出力電力レベルとに少なくとも部分的に基づいて、コーディングスキームを決定させ、
前記コーディングスキームを使用させて、前記選択させたデータパケットをエンコードさせる請求項１０記載のワイヤレス通信デバイス。
【請求項１３】
前記命令の実行は、前記ワイヤレス通信デバイスにさらに、
前記選択するデータパケットに関係付けられているサービス品質（ＱｏＳ）インデックスに少なくとも部分的に基づいて、前記データパケットを選択させ、
前記ＱｏＳインデックスは、データパケット優先度、データパケット周期、および、データパケット待ち時間の、重み付けられた平均に少なくとも部分的に基づいている請求項１０記載のワイヤレス通信デバイス。
【請求項１４】
命令を記憶した非一時的コンピュータ読取可能媒体において、
前記命令は、ワイヤレス通信デバイスのプロセッサによって実行されるとき、前記ワイヤレス通信デバイスに、
バッファ中に複数のデータパケットを記憶させ、
電力増幅器の温度を決定させ、
前記データパケットのそれぞれの特性を決定させ、
前記電力増幅器の温度と、データパケット優先度、データパケット周期、および、データパケット待ち時間の、重み付けられた平均に少なくとも部分的に基づいているサービス品質（ＱｏＳ）インデックスとに少なくとも部分的に基づいて、前記バッファから前記データパケットを選択させ、
前記電力増幅器の温度と前記特性とに少なくとも部分的に基づいて、前記電力増幅器の出力電力レベルを決定させ、
前記選択させたデータパケットを送信させる非一時的コンピュータ読取可能媒体。
【請求項１５】
前記命令の実行は、前記ワイヤレス通信デバイスにさらに、
前記複数のデータパケットが前記バッファ中に記憶される順序とは異なる順序で前記データパケットを選択させる請求項１４記載の非一時的コンピュータ読取可能媒体。
【請求項１６】
前記命令の実行は、前記ワイヤレス通信デバイスにさらに、
リンクバジェットと前記電力増幅器の出力電力レベルとに少なくとも部分的に基づいて、コーディングスキームを決定させ、
前記コーディングスキームを使用させて、前記選択させたデータパケットをエンコードさせる請求項１４記載の非一時的コンピュータ読取可能媒体。
【国際調査報告】
2017528065.tif 000008
2017528065.tif 000009
2017528065.tif 000010